(57)【要約】【課題】垂木に加工を施すことなく、しかも、断熱パネルの充填作業の効率化を図りつつ垂木に沿った断熱領域の拡大化を図るようにした屋根用断熱パネルを提供する。【解決手段】屋根用断熱パネル１は、屋根用垂木２間に延在する本体部１Ａと、本体部１Ａの両端で本体部１Ａに対して略直角に折り曲げられ、各垂木２に沿って延在させる第１及び第２の脚部１Ｂ，１Ｃと、からなる。展開状態の断熱パネル１には、本体部１Ａと第１の脚部１Ｂとの間において、一方の不織布１ｂを切除し且つ他方の不織布１ｃを残すようにＶ字状にカットされた第１の切り込み部Ｃ１が設けられている。また、本体部１Ａと第２の脚部１Ｃとの間には、一方の不織布１ｂを切除し且つ他方の不織布１ｃを残すようにＶ字状にカットされた第２の切り込み部Ｃ２が設けられている。【選択図】図２
2013133673.tif 000002
【特許請求の範囲】
【請求項１】
屋根野地板の下方で並設された屋根用垂木間に配置されると共に、発泡樹脂材の表裏に面材が設けられてなる屋根用断熱パネルにおいて、
前記屋根用垂木間に延在する本体部と、
前記本体部の両端で前記本体部に対して略直角に折り曲げられ、前記各垂木に沿って延在させる第１及び第２の脚部と、からなり、
展開状態で、前記本体部と前記第１の脚部との間には、一方の前記面材を切除し且つ他方の前記面材を残すようにＶ字状にカットされた第１の切り込み部が設けられ、前記本体部と前記第２の脚部との間には、前記一方の面材を切除し且つ前記他方の面材を残すようにＶ字状にカットされた第２の切り込み部が設けられていることを特徴とする屋根用断熱パネル。
【請求項２】
前記第１及び第２の脚部の遊端面は、上方に向けられると共に、前記脚部と前記垂木との間の隙間を塞ぐために前記本体部と前記垂木との間を架け渡して貼られる気密テープにより、前記屋根野地板の下面に当接させられることを特徴とする請求項１記載の屋根用断熱パネル。
【請求項３】
前記第１及び第２の脚部の遊端面は、下方に向けられ、前記本体部は、前記屋根野地板の下面から離間させられ、前記脚部の前記遊端面と前記垂木との間を架け渡して貼られる気密テープにより、前記脚部と前記垂木との間の隙間が塞がれることを特徴とする請求項１記載の屋根用断熱パネル。
【発明の詳細な説明】
【技術分野】
【０００１】
本発明は、垂木間で屋根の断熱に利用される屋根用断熱パネルに関するものである。
【背景技術】
【０００２】
従来、このような分野の技術として、実開平６−６５５６号公報がある。この公報に記載された屋根用断熱パネルは、野地板の下面で並設させられた垂木間に配置されている。垂木の側面には、長手方向に延在する凹部が形成され、そして、垂木間で対向して配置された一対の凹部内に、断熱パネルの側端が差し込まれる。このような構成を採用することで、取り付け金具無しに断熱パネルを垂木に固定させることができ、しかも、野地板の乾燥を促進させるための通気層を、断熱パネルと野地板との間に容易に確保することができる。
【先行技術文献】
【特許文献】
【０００３】
【特許文献１】実開平６−６５５６号公報がある。
【発明の概要】
【発明が解決しようとする課題】
【０００４】
しかしながら、前述した従来の技術にあっては、断熱パネルを取り付け金具無しに垂木に固定させ、しかも、野地板の乾燥を促進させるための通気層を、断熱パネルと野地板との間に確保するために、垂木の側面に、長手方向に延在する凹部を加工する必要があり、これによって、特殊な垂木が必要になるといった問題点がある。
【０００５】
本発明は、垂木に加工を施すことなく、しかも、断熱パネルの充填作業の効率化を図りつつ垂木に沿った断熱領域の拡大化を図るようにした屋根用断熱パネルを提供することを目的とする。
【課題を解決するための手段】
【０００６】
本発明は、屋根野地板の下方で並設された屋根用垂木間に配置されると共に、発泡樹脂材の表裏に面材が設けられてなる屋根用断熱パネルにおいて、
屋根用垂木間に延在する本体部と、
本体部の両端で本体部に対して略直角に折り曲げられ、各垂木に沿って延在させる第１及び第２の脚部と、からなり、
展開状態で、本体部と第１の脚部との間には、一方の面材を切除し且つ他方の面材を残すようにＶ字状にカットされた第１の切り込み部が設けられ、本体部と第２の脚部との間には、一方の面材を切除し且つ他方の面材を残すようにＶ字状にカットされた第２の切り込み部が設けられていることを特徴とする。
【０００７】
この屋根用断熱パネルには、展開状態において、一方の面材を切除し且つ他方の面材を残すようにＶ字状にカットされた第１及び第２の切り込み部が設けられているので、現場において、本体部の両端で略直角に折り曲げられた第１及び第２の脚部を有する断熱パネルを容易に組み立てることができる。このように、本発明に係る断熱パネルは、発泡樹脂材の表裏に面材が設けられている既存の断熱パネルの面材に着目して、本体部と脚部とが離れることなく一体化させているように発案されたものであり、本発明に係る断熱パネルは、既存の断熱パネルの有効利用が図られている。そして、下から断熱パネルの充填作業を行う場合には、垂木間に断熱パネルの本体部を充填するような作業を行うだけで、垂木の側面に沿って断熱パネルの脚部を確実に配置させることができる。よって、本発明に係る断熱パネルは、垂木に加工を施すことなく、しかも、断熱パネルの充填作業の効率化を図りつつ垂木に沿った断熱領域の拡大化を容易に図ることができる。つまり、脚部を、補助断熱部として機能させることができる。
【０００８】
また、第１及び第２の脚部の遊端面は、上方に向けられると共に、脚部と垂木との間の隙間を塞ぐために本体部と垂木との間を架け渡して貼られる気密テープにより、屋根野地板の下面に当接させられる。
このような構成を採用すると、下から断熱パネルの充填作業を行うにあたって、脚部の遊端面を野地板に突き当てることによって、野地板と本体部との間に所定寸法（例えば３０ｍｍ）の通気層を精度良く容易に確保することができる。しかも、下から気密テープを貼る場合、脚部の遊端面が野地板にしっかりと当て付けられ、脚部が突っ張りとなって、気密テープをしっかりと貼ることができる。従って、野地板に対して脚部が浮くことがないので、野地板と断熱パネルの脚部との間の隙間を無くして気密性を高めることができる。
【０００９】
また、第１及び第２の脚部の遊端面は、下方に向けられ、本体部は、屋根野地板の下面から離間させられ、脚部の遊端面と垂木との間を架け渡して貼られる気密テープにより、脚部と垂木との間の隙間が塞がれる。
このような構成を採用すると、脚部の遊端面と垂木の下面とを面一にすることで、野地板と本体部との間に所定寸法（例えば３０ｍｍ）の通気層を精度良く容易に確保することができる。そして、脚部の遊端面と垂木とを面一にできるので、気密テープを隙間無く確実に貼ることができる。
【発明の効果】
【００１０】
本発明によれば、垂木に加工を施すことなく、しかも、断熱パネルの充填作業の効率化を図りつつ垂木に沿った断熱領域の拡大化を図ることができる。
【図面の簡単な説明】
【００１１】
【図１】本発明に係る屋根用断熱パネルの一実施形態を示す斜視図である。
【図２】図１の横断面図である。
【図３】本発明に係る屋根用断熱パネルの展開状態を示す斜視図である。
【図４】本発明に係る屋根用断熱パネルの展開状態の要部拡大図である。
【図５】本発明に係る屋根用断熱パネルの他の実施形態を示す斜視図である。
【発明を実施するための形態】
【００１２】
以下、図面を参照しつつ本発明に係る屋根用断熱パネルの好適な実施形態について詳細に説明する。
【００１３】
図１及び図２に示されるように、木造住宅の屋根構造にあっては、柱に固定された母屋に対して直交する方向に垂木２が釘およびビス等によって固定されている。並設された垂木２の間を塞ぐようにして断熱パネル１が充填されている。そして、垂木２の上には屋根用野地板３が張られ、野地板３の上に屋根下ぶき材としてルーフィング等が貼られ、その上に瓦が敷かれる。
【００１４】
この断熱パネル１は、図３に示されるように、フェノールフォームなどからなる発泡樹脂材１ａの表裏に薄い面材の一例をなす不織布１ｂ，１ｃが接着材により固着されてなる。断熱パネル１は、屋根用垂木２間に延在する本体部１Ａと、本体部１Ａの両端で本体部１Ａに対して略直角に折り曲げられ、各垂木２に沿って延在させる第１及び第２の脚部１Ｂ，１Ｃと、からなる。
【００１５】
展開状態の断熱パネル１には、本体部１Ａと第１の脚部１Ｂとの間において、一方の不織布１ｂを切除し且つ他方の不織布１ｃを残すようにＶ字状にカットされた第１の切り込み部Ｃ１が設けられている。また、本体部１Ａと第２の脚部１Ｃとの間には、一方の不織布１ｂを切除し且つ他方の不織布１ｃを残すようにＶ字状にカットされた第２の切り込み部Ｃ２が設けられている。
【００１６】
図４に示されるように、平面に凹凸が無い平板状をなす既存の断熱パネル（二点鎖線参照）を利用して、第１の切り込み部Ｃ１は、断熱パネル１の側面１ｄに対して平行で且つ断熱パネル１の平面に対して直交して延在する基準平面Ｌに対し、本体部１Ａ側で角度４５度、脚部１Ｂ側で角度４５度となるようなＶ字状にカットされている。すなわち、第１の切り込み部１Ｃは、頂角が９０度の二等辺三角形になっている。また、第２の切り込み部Ｃ２も、第１の切り込み部Ｃ２と同様にカットされている。
【００１７】
このように、屋根用断熱パネル１には、展開状態において、一方の不織布１ｂを切除し且つ他方の不織布１ｃを残すようにＶ字状にカットされた第１及び第２の切り込み部Ｃ１，Ｃ２が設けられているので、現場において、本体部１Ａの両端で略直角に折り曲げられた第１及び第２の脚部１Ｂ，１Ｃを有する断熱パネル１を容易に組み立てることができる。このように、断熱パネル１は、発泡樹脂材１ａの表裏に不織布１ｂ，１ｃが固着されている既存の断熱パネル（図４の二点鎖線参照）の不織布１ｂ，１ｃに着目して、本体部１Ａと脚部１Ｂ，１Ｃとが離れることなく一体化させているように発案されたものであり、断熱パネル１は、既存の断熱パネルの有効利用が図られている。
【００１８】
そして、下から断熱パネル１の充填作業を行う場合には、垂木２間に断熱パネル１の本体部１Ａを充填するような作業を行うだけで、左右の垂木２の側面に沿って断熱パネルの脚部１Ｂ，１Ｃを確実に配置させることができる。よって、断熱パネル１は、垂木２に加工を施すことなく、しかも、断熱パネル１の充填作業の効率化を図りつつ垂木２に沿った断熱領域の拡大化を容易に図ることができる。つまり、脚部１Ｂ，１Ｃを、補助断熱部として機能させることができる。
【００１９】
図１及び図２に示されるように、第１及び第２の脚部１Ｂ，１Ｃの遊端面１ｅ，１ｆは、上方に向けられて、垂木２間に下から装填される。そして、脚部１Ｂ，１Ｃと垂木２との間に発生する隙間を塞ぐために、気密テープ５が、本体部１Ａと垂木２との間を架け渡すように長手方向に貼られる。これにより、第１及び第２の脚部１Ｂ，１Ｃの遊端面１ｅ，１ｆは、屋根野地板３の下面にしっかりと当接させられる。
【００２０】
このように断熱パネル１が垂木２間に充填されると、下から断熱パネル１の充填作業を行うにあたって、脚部１Ｂ，１Ｃの遊端面１ｅ，１ｆを野地板３に突き当てることによって、野地板３と本体部１Ａとの間に所定寸法Ｈ（例えば３０ｍｍ）の通気層Ｓを精度良く容易に確保することができる。しかも、下から気密テープ５を貼る場合、脚部１Ｂ，１Ｃの遊端面１ｅ，１ｆが野地板３にしっかりと当て付けられ、脚部１Ｂ，１Ｃが突っ張りとなって、気密テープ５をしっかりと貼ることができる。そして、野地板３に対して脚部１Ｂ，１Ｃが浮くことがないので、野地板３と断熱パネル１の脚部１Ｂ，１Ｃとの間に発生し易い隙間を無くして気密性を高めることができる。
【００２１】
気密テープ５を貼った後、天井パネル（不図示）が下から垂木２に釘止めされる。天井パネルを張ると、天井パネルと野地板３との間に脚部１Ｂ，１Ｃが存在し、これによって、天井パネルと野地板３との間で断熱パネル１が極めてズレ難くなる。
【００２２】
本発明は、前述した実施形態に限定されないことは言うまでもない。例えば、図５に示されるように、第１及び第２の脚部１Ｂ，１Ｃの遊端面１ｅ，１ｆは、下方に向けられ、本体部１Ａは、屋根野地板３の下面から離間させられ、脚部１Ｂ，１Ｃの遊端面１ｅ，１ｆと垂木２との間を架け渡して貼られる気密テープ５により、脚部１Ｂ，１Ｃと垂木２との間の隙間が塞がれる。気密テープ５を貼る前に、脚部１Ｂ，１Ｃは、釘６によって垂木に固定される。
【００２３】
このような構成を採用すると、脚部１Ｂ，１Ｃの遊端面１ｅ，１ｆと垂木２の下面とを面一にすることで、野地板３と本体部１Ａとの間に所定寸法Ｈ（例えば３０ｍｍ）の通気層Ｓを精度良く容易に確保することができる。そして、脚部１Ｂ，１Ｃの遊端面１ｅ，１ｆと垂木２の下面とを面一にできるので、気密テープ５を隙間無く確実に貼ることができる。
【００２４】
面材としては、不織布以外では織布や有機系加工紙、無機系加工紙（繊維混抄紙、ガラス繊維紙、ケイ酸マグネシウム紙）、アルミニウムはく、などがある。
【符号の説明】
【００２５】
１…屋根用断熱パネル  １Ａ…本体部  １Ｂ…第１の脚部  １Ｃ…第２の脚部  １ａ…発泡樹脂材  １ｂ，１ｃ…不織布（面材）  １ｅ，１ｆ…脚部の遊端面  ２…垂木  ３…野地板  ５…気密テープ  Ｃ１…第１の切り込み部  Ｃ２…第２の切り込み部  Ｓ…通気層
【図１】
2013133673.tif 000003
【図２】
2013133673.tif 000004
【図３】
2013133673.tif 000005
【図４】
2013133673.tif 000006
【図５】
2013133673.tif 000007